(57)【要約】【課題】  不要埋蔵物を除去した後に、地盤中に壁を残すことがないようにした不要埋蔵物の除去方法を提供する。【解決手段】  掘削対象領域に掘削孔Ｈを形成する際、掘削孔Ｈの周囲に凍結管１を埋設し、凍土壁Ｒを形成する。凍土壁Ｒにより、地下水の流入を防止しながら掘削孔Ｈの掘削を行う。掘削孔Ｈの内側面にはライナープレート２を取り付けることにより、掘削孔Ｈの孔壁を保護する。掘削孔Ｈの掘削が終了して汚染土壌を除去し、良質土壌で掘削孔Ｈを埋め戻した後、凍土壁Ｒを解凍させる。【選択図】  図１
2006263557.tif 000002
【特許請求の範囲】
【請求項１】
不要埋蔵物が埋蔵される掘削対象領域の周囲に凍結管を埋設し、前記凍結管内に冷却液を循環供給して前記掘削対象領域の周囲における地盤を凍結させて、前記掘削対象領域の周囲に凍土を形成し、
前記掘削対象領域を掘削して掘削孔を形成することにより、前記掘削対象領域における不要埋蔵物を除去することを特徴とする不要埋蔵物の除去方法。
【請求項２】
前記掘削孔の孔壁に孔壁保護部材を設ける請求項１に記載の不要埋蔵物の除去方法。
【請求項３】
前記掘削孔の掘削の進行に伴って前記孔壁保護部材を順次形成する請求項２に記載の不要埋蔵物の除去方法。
【請求項４】
前記掘削孔の孔壁に断熱材を設ける請求項１〜請求項３のうちのいずれか１項に記載の不要埋蔵物の除去方法。
【請求項５】
前記掘削孔が、断面円形である請求項１〜請求項４のうちのいずれか１項に記載の不要埋蔵物の除去方法。
【請求項６】
不要物を除去し、前記掘削孔を埋め戻した後、前記凍土を解凍する請求項１〜請求項５のうちのいずれか１項に記載の不要埋蔵物の除去方法。
【請求項７】
前記凍土の解凍を、強制解凍によって行う請求項６に記載の不要埋蔵物の除去方法。
【請求項８】
前記凍土の解凍を、自然解凍によって行う請求項６に記載の不要埋蔵物の除去方法。
【請求項９】
地表面における前記掘削孔上部開口を含む位置にヤードを設置し、
前記ヤード内を負圧状態に維持する請求項１〜請求項８のうちのいずれか１項に記載の地盤中における不要埋蔵物の除去方法。
【発明の詳細な説明】
【技術分野】
【０００１】
本発明は、地盤中に埋蔵された自然由来または人為的な不要埋蔵物を除去するための地盤中における不要埋蔵物の除去方法に関する。
【背景技術】
【０００２】
たとえば、地盤に構造物を構築する際、地盤中には、過去に廃棄された兵器・毒ガスなどの不要埋蔵物や自然に発生した砒素などの自然由来の不要埋蔵物が埋まっており、このような不要埋蔵物を除去する必要がある。また、不要埋蔵物を除去するため、この不要埋蔵物が埋蔵される地盤を掘削して除去することが考えられるが、この掘削を行う領域について、地下水の流入を防止する必要がある。そこで、不要埋蔵物が埋蔵される領域の周囲に壁を形成して地下水の流入を阻止し、その壁の内側を掘削して除去することが考えられる。
【０００３】
このような壁を構築するには、たとえばたとえばＳＭＷ（Soil Mixing Wall）工法を用いた方法や、地中連続壁を構築する方法などを用いることが好適となると考えられる。ＳＭＷ工法は、アースオーガーなどで原位置土とセメントミルクなどを地中で混練して連続したソイルセメント壁を構築した後、このソイルセメント壁に応力材としてＨ形鋼など設置するというものである。ソイルセメント壁を構築した後は、ソイルセメント壁内に切梁や腹起こしなどを設置しながら、セメントソイル壁内を順次掘り下げることにより、不要埋蔵物を除去することができる。
【０００４】
また、地中連続壁を構築する方法は、地中に安定液を張りながら連続したトレンチ掘削を行い、そのトレンチを型枠代わりにして、鉄筋コンクリートを打設して、地中に連続壁を構築するというものである。地中連続壁を構築した後は、地中連続壁内を順次掘り下げることにより、不要埋蔵物を除去することができる。
【０００５】
その他、従来におけるの土壌浄化方法としては、特開平１１−１６９８３７号公報に開示されたものがあった。さらに、特殊砲弾処理方法としては、特開２００２−３１０６００号公報に開示されたものがある。
【特許文献１】特開平１１−１６９８３７号公報
【特許文献２】特開２００２−３１０６００号公報
【発明の開示】
【発明が解決しようとする課題】
【０００６】
しかし、上記のＳＭＷ工法や地中連続壁は、そもそも地中に構造物を設ける際に利用されるものであり、地中に壁を形成することを目的として形成されるものである。このため、たとえば不要埋蔵物を除去した後に、ソイルセメント壁や地中連続壁を除去しようとしても、これらの壁を地盤から除去することができないという問題があった。
【０００７】
また、たとえば低深度の位置に埋蔵された不要埋蔵物を除去するのであれば、鋼矢板で壁を構築し、不要埋蔵物を除去した後に、鋼矢板を除去することも考えられる。ところが、たとえば４０ｍ程度の大深度に埋蔵した不要埋蔵物を除去しようとすると、鋼矢板では止水性の高い壁を構築することができないという問題があった。
【０００８】
そこで、本発明の課題は、不要埋蔵物を除去した後に、地盤中に壁を残すことがないようにした不要埋蔵物の除去方法を提供することにある。
【課題を解決するための手段】
【０００９】
上記課題を解決した本発明に係る不要埋蔵物の除去方法は、不要埋蔵物が埋蔵される掘削対象領域の周囲に凍結管を埋設し、凍結管内に冷却液を循環供給して掘削対象領域の周囲における地盤を凍結させて、掘削対象領域の周囲に凍土を形成し、掘削対象領域を掘削して掘削孔を形成することにより、掘削対象領域における不要埋蔵物を除去するものである。
【００１０】
本発明に係る不要埋蔵物の除去方法では、不要埋蔵物が埋蔵される掘削対象領域の周囲を凍結させて凍土を形成して、掘削対象領域を掘削している。このため、凍土が壁となって掘削対象領域への地下水の流入を阻止した状態で不要埋蔵物の除去作業を行うことができる。また、不要埋蔵物の掘削作業が済んだ後は、凍土を解凍することにより、地下水の流入を阻止する壁を取り除くことができる。なお、本発明にいう「不要埋蔵物」とは、地盤中に埋蔵された人為的な兵器、毒ガス、汚染土壌、廃棄物と、自然由来の砒素などの有害物質などが含有された土壌などを含むものである。
【００１１】
ここで、掘削孔の孔壁に孔壁保護部材を設ける態様とすることができる。掘削孔の孔壁に孔壁保護部材を設けることにより、掘削孔の崩落を防止することができる。
【００１２】
また、掘削孔の掘削の進行に伴って孔壁保護部材を順次形成する態様とすることができる。掘削孔の掘削の進行に伴って孔壁保護部材を順次形成することにより、孔壁保護部材の形成を容易なものとすることができる。
【００１３】
さらに、掘削孔の孔壁に断熱材を設ける態様とすることもできる。掘削孔の孔壁に断熱材を設けることにより、掘削孔内の温度の上昇を防止することができる。したがって、その分不要物の除去を安全な状態で行うことができる。
【００１４】
また、掘削孔が、断面円形である態様とすることができる。掘削孔が断面円形であることにより、地盤中の応力が掘削孔に均等にかかることになるので掘削孔が安定し、掘削孔の崩落の防止に寄与することができる。
【００１５】
さらに、不要物を除去し、掘削孔を埋め戻した後、凍土を解凍する態様とすることもできる。このように、掘削孔を埋め戻した後に凍土を解凍することにより、凍土の解凍中に掘削孔が崩落することがなく、安全な状態で凍土の解凍を行うことができる。
【００１６】
このとき、凍土の解凍を、強制解凍によって行うことができる。凍土の解凍を強制解凍によって行うことにより、短時間で凍土の解凍を行うことができる。
【００１７】
または、凍土の解凍を、自然解凍によって行うこともできる。凍土の解凍を自然解凍によって行うことにより、凍土を強制解凍するための手段が不要となる。
【００１８】
さらに、地表面における掘削孔上部開口を含む位置にヤードを設置し、ヤード内を負圧状態に維持する態様とすることもできる。このように、掘削孔上部開口を含む位置にヤードを設置し、ヤード内を負圧に維持することにより、ヤードの外に空気が漏れることを防止することができる。
【発明の効果】
【００１９】
本発明によれば、不要埋蔵物を除去した後に、地盤中に壁を残すことがないようにした不要埋蔵物の除去方法を提供することができる。
【発明を実施するための最良の形態】
【００２０】
以下、図面を参照して、本発明の好適な実施形態について説明する。なお、各実施形態において、同一の機能を有する部分については同一の符号を付し、重複する説明は省略することがある。図１は、本発明の実施形態に係る不要埋蔵物の除去方法を行っている状態を示す断面図、図２はその平面図である。
【００２１】
図１に示すように、地盤Ｇには、掘削対象領域となる位置に６ｍ程度の径を有する掘削孔Ｈが形成されている。掘削孔Ｈには、本発明の不要埋蔵物である汚染土壌が埋蔵されている。本実施形態では、掘削孔Ｈが形成される位置に埋蔵された汚染土壌を除去する。掘削孔Ｈの周囲であって、掘削孔Ｈの外周からほぼ１ｍ程度外側位置に、複数の凍結管１が埋設されている。この凍結管１にブライン（冷却液）が循環供給されることによって、凍土壁Ｒが形成され、凍結状態を維持されている。
【００２２】
凍結管１は、ボーリングによって形成された孔に挿入される形で配設されており、大深度、たとえば５５ｍ程度の深さに至るまで埋設されており、凍結管１は、不透水層に至る深さまで到達している。また、複数の凍結管１は、ほぼ２ｍ幅のリング状の位置に千鳥に配置され、全体として円形となるように配置されている。したがって、凍結管１にブラインを循環供給することにより、掘削孔Ｈの周囲に断面円形の凍土壁Ｒが形成される。
【００２３】
掘削孔Ｈの孔壁には、本発明の孔壁保護部材であるライナープレート２が取り付けられている。ライナープレート２は、図３に示すように、掘削孔Ｈと略同径の円筒形を３分割または４分割した形状をなしており、掘削孔Ｈ内でライナープレート２同士をボルトなどで締結することによって掘削孔Ｈの孔壁を保護し、地盤の崩落を防止している。また、ライナープレート２の裏面側には、断熱材３が取り付けられている。このため、ライナープレート２を掘削孔Ｈに設けることにより、ライナープレート２と掘削孔Ｈとの間に断熱材３が配置される。この断熱材３により、掘削孔Ｈ内の熱の上昇を防止している。また、掘削孔Ｈの周囲には、凍結管１と並んで測温管４が埋設されている。この測温管４で凍土壁Ｒの温度をリアルタイムで計測している。
【００２４】
さらに、地盤Ｇにおける掘削孔Ｈが形成されている位置の地表面には、掘削ヤード用テント１０が設けられており、掘削ヤード用テント１０に隣接する位置には、積み込みヤード用テント２０が設けられている。掘削ヤード用テント１０内では、掘削孔Ｈ内にバックホウ１１が配置されており、掘削孔Ｈの近傍位置における地表面にクローラクレーン１２が配置されている。バックホウ１１は遠隔操作可能であり、図示しない作業員が地上から遠隔操作を行うことによって、掘削孔Ｈの掘削作業を行っている。バックホウ１１によって掘削された汚染土壌は、クローラクレーン１２によって地上に引き上げられる。掘削ヤード用テント１０内には、移動可能コンテナ１３が配置されており、クローラクレーン１２によって引き上げられた汚染土壌は、移動可能コンテナ１３に搭載され、積み込みヤード用テント２０へ搬送される。
【００２５】
また、掘削ヤード用テント１０には、集塵機１４が隣接されており、集塵機１４に接続された吸気管１５，１６が掘削ヤード用テント１０内に配置されている。第一吸気管１５は、掘削孔Ｈの掘削面近傍にその吸気口が配置されており、掘削作業によって生じる塵埃などを集塵している。また、第二吸気管１６は、掘削ヤード用テント１０内の地上位置にその吸気口が配置されており、掘削ヤード用テント１０内のエアの清浄を行っている。こうして、集塵機１４によって掘削ヤード用テント１０内のエアを吸引することにより、掘削ヤード用テント１０内は大気圧よりも負圧となる状態に維持されている。
【００２６】
さらに、掘削ヤード用テント１０に隣接する位置には、冷凍機１７が配置されている。冷凍機１７は、凍結管１に対して、ブラインを循環供給している。また、掘削ヤード用テント１０にはエアシャワー室１８が設けられており、作業員が掘削ヤード用テント１０を出る際に、エアシャワーを浴びることができるようになっている。さらに、掘削ヤード用テント１０と積み込みヤード用テント２０との間には、移動可能コンテナ１３が通過する通路１９が設けられている。
【００２７】
また、積み込みヤード用テント２０には、小型バックホウ２１およびミニクレーン２２が搬入されており、小型バックホウ２１とミニクレーン２２との間には、多数のドラム缶２３が載置されている。移動可能コンテナ１３によって掘削ヤード用テント１０から搬送された汚染土壌は、小型バックホウ２１によって移動可能コンテナ１３からドラム缶２３に移動させられる。汚染土壌が詰め込まれていっぱいになったドラム缶２３は、ミニクレーン２２によってトラック２４に積載される。トラック２４は、ドラム缶２３をいっぱいに搭載した後、仮置きヤード２５にドラム缶２３を搬送する。
【００２８】
さらに、積み込みヤード用テント２０にも、掘削ヤード用テント１０と同様、隣接する位置に集塵機２６が設けられ、積み込みヤード用テント２０内の空気を吸引して積み込みヤード用テント２０内が大気圧よりも負圧に維持されている。また、エアシャワー室２７が設けられ、作業員が積み込みヤード用テント２０を出る前にエアシャワーを浴びることができる。
【００２９】
以上の状態で行われる汚染土壌の除去方法について説明する。図４は、汚染土壌の除去が行われる工程示すフローチャートである。汚染土壌の除去について、この図４に示すフローを追いながら、図５〜図８に示す図を参照して説明する。
【００３０】
汚染土壌が埋蔵された地盤Ｇにおいて、汚染土壌を除去するための掘削孔を形成する位置および範囲が決まったら、図５（ａ）に示すように、掘削予定範囲Ｅの周囲に凍結管１を埋設する（Ｓ１１）。凍結管１を埋設するため、凍結管１の埋設位置に図示しないボーリングマシンを用いてボーリング孔を形成し、このボーリング孔に凍結管１を埋設する。凍結管１は、たとえば不透水層がある５５ｍの深さ位置まで埋設する。
【００３１】
このとき、凍結管１は、平面視した状態でリング状の範囲に千鳥に配置する。このように凍結管１を配置することにより、凍土壁Ｒをリング状に形成することができる。凍土壁Ｒをリング状とすることにより、いわゆるリング効果によって構造設計上有利なものとなる。また、リング効果を有することから、土留め支保工を不用なものとすることができる。さらに、凍結管１を千鳥に配置することにより、凍土壁Ｒを均等な厚さに形成することができる。
【００３２】
こうして凍結管１を埋設したら、冷凍機１７の運転を開始し、凍結管１にブラインを循環供給して掘削予定範囲Ｅの周囲に凍土壁Ｒを造成する（Ｓ１２）。凍土壁Ｒを造成する間、測温管４では、凍土壁Ｒの温度をリアルタイムで計測している。測温管４で凍土壁Ｒの温度をリアルタイムで計測することにより、凍土壁Ｒが所定の厚さに造成されたことが確認された時点から、掘削孔Ｈの掘削作業を開始する。このように、掘削予定範囲Ｅの周囲に凍土壁Ｒを構築することにより、掘削孔Ｈに対する地下水の流入を防止する。なお、汚染土壌の状況などによって地中埋蔵物の探査調査が必要な場合には、非破壊地中レーダなどを導入し掘削に先立って調査推測してから掘削作業を開始するようにしてもよい。また、凍土壁Ｒを造成する際、深度が深い位置の方が、凍土厚が厚くなる傾向にあるので、深度の深い位置には比較的温度の高いブラインを供給する態様とすることもできる。
【００３３】
凍土壁Ｒを造成する一方、地上における掘削孔Ｈを取り囲む位置には、掘削ヤード用テント１０を設置するとともに、掘削ヤード用テント１０に隣接する位置に積み込みヤード用テント２０を立設する（Ｓ２１）。これらのテント１０，２０を設置したら、通路１９や集塵機１４，２６、さらにはバックホウ１１やクローラクレーン１２などを順次設ける。
【００３４】
こうして、冷凍機１７を運転して凍土壁Ｒを所定の厚さに造成し、テント１０，２０などの設置が完了したら、図５（ｂ）に示すように、掘削孔Ｈの掘削を開始する（Ｓ３１）。掘削孔Ｈを掘削する際には、バックホウ１１およびクローラクレーン１２が利用される。バックホウ１１は、掘削孔Ｈ上に配置され、遠隔操作によって無人状態で掘削孔Ｈの掘削作業を行う。
【００３５】
バックホウ１１によって掘削された汚染土壌は、バックホウ１１からクローラクレーン１２に受け渡される。クローラクレーン１２では、バックホウ１１から受け取った汚染土壌を地上まで揚送し、移動可能コンテナ１３に積み込む。この間、測温管４では、凍土壁Ｒの温度を随時監視している。
【００３６】
一方、地上においては、クローラクレーン１２で引き上げられた汚染土壌（掘削土）の処理作業が行われる。クローラクレーン１２で引き上げられた汚染土壌は、移動可能コンテナ１３に搭載され、通路１９を通って積み込みヤード用テント２０に搬送される。積み込みヤード用テント２０では、移動可能コンテナ１３に搭載された汚染土壌を小型バックホウ２１でドラム缶２３に詰め込む作業を行う。こうしてドラム缶２３が汚染土壌でいっぱいになったら、ドラム缶２３に蓋をして密閉し、汚染土壌を密閉容器に詰めた状態とする（Ｓ４１）。
【００３７】
密閉容器に詰め込まれた汚染土壌は、ミニクレーン２２によってトラック２４に搭載され、仮置きヤード２５に搬送され、仮置きヤード２５で保管される（Ｓ４２）。その後、必要により所定の処理場に搬送等され、処理処分が行われる（Ｓ４３）
こうして、掘削孔Ｈの掘削がある程度の深さ位置まで進行したら、図６（ａ）に示すように、掘削孔Ｈの孔壁に沿って孔壁に内接する状態でライナープレート２を設置する（Ｓ３２）。ライナープレート２設置は、掘削孔Ｈの掘削の進行に伴って順次行われる。ライナープレート２の取り付けは、掘削孔Ｈの内部の安全を確認した後、防護服を着用した作業員Ｍが掘削孔Ｈ内に入坑し人力によって行われる。このようにライナープレート２を取り付けることにより、掘削孔Ｈの孔壁の崩落を防止している。
【００３８】
また、ライナープレート２には、断熱材３が設けられているので、ライナープレート２を掘削孔Ｈの孔壁に取り付けることにより、掘削孔Ｈ内の温度が低温に保たれ、たとえば揮発性の汚染物質が埋蔵されている場合でも、その爆発などを防止することができる。
【００３９】
こうして、ライナープレート２を取り付けながら掘削孔Ｈを掘削していき、掘削孔Ｈ内における埋蔵物を確認する（Ｓ３３）。埋蔵物を確認するにあたり、作業員Ｍが掘削孔Ｈ内に入坑する際には、掘削孔Ｈの底部の安全性をモニタリングした後に、所定の安全具を装着した作業員Ｍが掘削孔Ｈに入坑するようにする。このときに、掘削孔Ｈの掘削の進行状況や掘削孔Ｈにおける汚染土壌の状況などを作業員Ｍが目視によって確認することもできる。
【００４０】
その後、図６（ｂ）に示すように、バックホウ１１による掘削が進行して、掘削孔Ｈが所定の深さ位置まで到達したら、掘削孔Ｈの掘削作業を終了する。掘削孔の掘削作業が終了したら、図７（ａ）に示すように、掘削孔Ｈに良質土壌を埋め戻す（Ｓ３４）。良質土壌を埋め戻す際には、バックホウ１１によって埋め戻しに用いた良質土壌を転圧する。このとき、埋め戻し作業の進行に伴って、ライナープレート２も順次取り外される。このようにして順次掘削孔Ｈの埋め戻しを行い、図７（ｂ）に示すように、掘削孔Ｈを完全に埋め戻す。
【００４１】
ここまでの間、冷凍機１７からは、凍土壁Ｒを造成しているときよりも温度のブラインを凍結管１に循環供給し、凍土壁Ｒが解凍しない温度に凍土壁Ｒの温度を維持している。それから、掘削孔Ｈの埋め戻し作業が終了した後、冷凍機１７の運転を停止し、冷凍機１７から凍結管１に対するブラインの循環供給を停止する。そして、凍結管１および測温管４を撤去し、そのまま放置することにより、凍土壁Ｒを自然解凍させる（Ｓ４２）。また、解凍作業を行っている間、テント１０，２０の撤去作業を行う（Ｓ２２）。こうして、図８に示すように、テント１０，２０および凍土壁Ｒの撤去作業を終了して、汚染土壌の除去を終了する。
【００４２】
このように、本実施形態に係る汚染土壌の除去方法では、汚染土壌を除去して、掘削孔を埋め戻した後、掘削穴に対する地下水の流入を防止するために形成した壁である凍土壁Ｒを残さないようにすることができる。また、地下水のウォーターレベルの高さにかかわらず、汚染土壌を形成した後に凍土壁Ｒを解凍させて残さないようにすることができる。
【００４３】
また、本実施形態に係る汚染土壌の除去方法では、ＳＭＷを用いた場合のように、汚染土壌とセメントミルクとを混合することなどがないので、有害物質の排出量が少なく、その処分量を少ないものとすることができる。また、汚染物質を破壊することもないので、その処理が容易なものとなる。さらに、掘削孔Ｈ内は、凍土に囲まれており、その温度雰囲気が低い状態となっている。このため、汚染土壌の揮発性を抑制できるので、汚染土壌の掘削を安全な状態で行うこともできる。また、掘削孔への地下水の浸入を防止する壁を凍土壁Ｒで形成しているので、リング状に形成することができる。したがって、リング効果によって切梁などが不用なものとなる。さらには、凍土壁Ｒは冷凍機および凍結管など簡素な構成を装置で形成することができるので、ＳＭＷ工法で使用されるような大型の機械を用いないで済ませることができる。
【００４４】
以上、本発明好適な実施形態について説明したが、本発明は上記実施形態に限定されるものではない。たとえば、上記実施形態では、不要埋蔵物が汚染土壌であったが、たとえば地中深くに埋蔵された兵器などであってもよい。この場合、掘削孔を深くまで掘削し、掘削孔の底面を目視しながら掘削を続け、埋蔵された兵器などの不要埋蔵物を見つけて除去することができる。しかも、低温下での作業であることから、兵器の爆発性を抑制することもできる。
【００４５】
また、上記実施形態では、バックホウを掘削孔の内部に配置して掘削作業を行っているが、たとえば掘削孔に沿ってガイドレールを立設し、このガイドレールに沿って上下動するバックホウなどを用いることもできる。さらに、上記実施形態では、凍土壁を解凍する際、自然解凍を行っているが、凍結管１に代えて別途設けた配管に高温の溶液を循環供給して、凍土壁を強制解凍することもできる。
【図面の簡単な説明】
【００４６】
【図１】本発明の実施形態に係る不要埋蔵物の除去方法を行っている状態を示す断面図である。
【図２】本発明の実施形態に係る不要埋蔵物の除去方法を行っている状態を示す平面図である。
【図３】ライナープレートの斜視図である。
【図４】汚染土壌の除去が行われる工程示すフローチャートである。
【図５】汚染土壌の除去を行う工程を示す工程図である。
【図６】図５に示す工程を示す工程図である。
【図７】図６に示す工程を示す工程図である。
【図８】図７に示す工程を示す工程図である。
【符号の説明】
【００４７】
１…凍結管
２…ライナープレート
３…断熱材
４…測温管
１０…掘削ヤード用テント
１１…バックホウ
１２…クローラクレーン
１３…移動可能コンテナ
１４…集塵機
１５…第一吸気管
１６…第二吸気管
１７…冷凍機
１８…エアシャワー室
１９…通路
２０…積み込みヤード用テント
２１…小型バックホウ
２２…ミニクレーン
２３…ドラム缶
２４…トラック
２５…仮置きヤード
２６…集塵機
２７…エアシャワー室
Ｅ…掘削予定範囲
Ｇ…地盤
Ｈ…掘削孔
Ｍ…作業員
Ｒ…凍土壁
【図１】
2006263557.tif 000003
【図２】
2006263557.tif 000004
【図３】
2006263557.tif 000005
【図４】
2006263557.tif 000006
【図５】
2006263557.tif 000007
【図６】
2006263557.tif 000008
【図７】
2006263557.tif 000009
【図８】
2006263557.tif 000010